(57)【要約】      （修正有）【課題】ボイスコイル装置の駆動時にボイスコイルのリード線の断線防止を図ることが可能なボイスコイル装置等を提供する。【解決手段】ボイスコイル装置は、ボイスコイルボビンと、リード線、第１ボイスコイル及び第２ボイスコイルを有しボイスコイルボビンに巻かれたボイスコイルと、ボイスコイルのリード線の一部を覆うようにボイスコイルボビンに貼り付けられた第１巻装体及び第２巻装体とを備えている。リード線は、第１ボイスコイルの下端から引き出された引き出し部と、その一端から延び出てなり湾曲状に緩やかに曲げられた折り返し角度θ１に折り返された折り返し部と、その一端から延び出てなり所定の位置から外部へ導出された導出部とを備えている。【選択図】図３
2006148667.tif 000002
【特許請求の範囲】
【請求項１】
ボイスコイルボビンと、リード線を有し前記ボイスコイルボビンに巻かれたボイスコイルと、少なくとも２つに分割され、前記リード線の一部を覆うように前記ボイスコイルボビンに貼り付けられた巻装体と、を備え、
前記リード線は、前記ボイスコイルボビンと前記巻装体との間で湾曲状に緩やかに曲げて折り返され、前記分割された前記巻装体の境界部分から外部へ導出されていることを特徴とするボイスコイル装置。
【請求項２】
前記リード線の折り返し部分は、鋭角に対応する角度に設定されていることを特徴とする請求項１に記載のボイスコイル装置。
【請求項３】
前記巻装体は第１の巻装体と第２の巻装体とを有し、前記リード線の一部は前記第１の巻装体により覆われており、前記リード線の折り返し部分は前記第２の巻装体により覆われていることを特徴とする請求項１又は２に記載のボイスコイル装置。
【請求項４】
前記リード線は、前記ボイスコイルボビンと第２の巻装体との間で、前記第２の巻装体から前記第１の巻装体へ向かう方向へ折り返され、前記第１の巻装体の外周方向へ導出されていることを特徴とする請求項１乃至３のいずれか一項に記載のボイスコイル装置。
【請求項５】
前記巻装体は、前記リード線を、移動しないように前記ボイスコイルボビンに対して固定していることを特徴とする請求項１乃至４のいずれか一項に記載のボイスコイル装置。
【請求項６】
請求項１乃至５のいずれか一項に記載のボイスコイル装置及び振動板を有する振動系と磁気回路とを備え、前記磁気回路は前記振動板の放音側に配置されてなることを特徴とするスピーカー装置。
【請求項７】
アンプ側の信号供給回路と電気的に接続された錦糸線を有し、
前記錦糸線の一端は前記振動板の放音側に引き出されていると共に、前記巻装体の外部へ導出されたリード線は前記錦糸線の一端と電気的に接続されていることを特徴とする請求項６に記載のスピーカー装置。
【発明の詳細な説明】
【技術分野】
【０００１】
本発明は、スピーカー装置におけるボイスコイル装置の構造に関する。
【背景技術】
【０００２】
従来より、ボイスコイルボビン、それに巻かれたボイスコイル、及びボイスコイルボビンに貼り付けられた巻装体（例えば、テープ、帯紙）を有するボイスコイル装置並びに振動板を備える振動系と、ヨーク、マグネット及びプレートを有する磁気回路とを備え、その磁気回路が振動板の背面側に配置されてなるスピーカー装置が知られている。
【０００３】
この種のボイスコイル装置として、ボイスコイルが巻かれたボビンと、そのボイスコイルの上方にてボビンに貼付された補強テープとを有し、補強テープにリード線を取り付けるための位置決め部が形成されたボイスコイルボビンが知られている（例えば、特許文献１を参照）。この特許文献１によれば、補強テープの上側にはリード線の位置決め部を構成する切り欠き部が形成されており、その切り欠き部の位置でボイスコイルとリード線とが半田付けされている。
【０００４】
また、特許文献２には、ボイスコイルボビン上に銅箔片を設けるとともに、その上に押さえテープを貼り付けたボイスコイルボビンが開示されている。このボイスコイルボビンでは、押さえテープに設けられた穴が銅箔片上に位置するように押さえテープがボイスコイルボビンに巻き付けられ、その穴の位置で、押さえテープの下側にあるボイスコイルのリード線と、外部のリード線とが半田付けされている。
【０００５】
【特許文献１】特開平７−２８８８９４号公報
【特許文献２】特開２００３−２８４１８８号公報
【発明の開示】
【発明が解決しようとする課題】
【０００６】
上記のように、ボイスコイル上に巻装体を貼り付けたボイスコイルボビンを採用するスピーカー装置の場合、巻装体はボイスコイルの一部を覆うようにボイスコイルボビン上に貼り付けられており、ボイスコイルを構成するリード線はテープの端部において外部へ引き出される。よって、リード線の引き回し状態によっては、スピーカー装置の駆動に伴って、リード線の巻装体からの引き出し部分に引っ張り応力や曲げ応力が繰り返し作用し、その折り返し部で断線が生じてしまうという問題があった。特に、巻装体からの引き出し部分において、リード線が鋭角的に折り返されているような場合には、その部分においてリード線の断線が生じやすい。
【０００７】
本発明が解決しようとする課題としては、上記のようなものが例として挙げられる。本発明は、ボイスコイル装置の駆動時にボイスコイルのリード線の断線防止を図ることが可能なボイスコイル装置及びそれを用いたスピーカー装置を提供することを課題とする。
【課題を解決するための手段】
【０００８】
請求項１に記載の発明は、ボイスコイル装置であって、ボイスコイルボビンと、リード線を有し前記ボイスコイルボビンに巻かれたボイスコイルと、少なくとも２つに分割され、前記リード線の一部を覆うように前記ボイスコイルボビンに貼り付けられた巻装体と、を備え、前記リード線は、前記ボイスコイルボビンと前記巻装体との間で湾曲状に緩やかに曲げて折り返され、前記分割された前記巻装体の境界部分から外部へ導出されていることを特徴とする。
【発明を実施するための最良の形態】
【０００９】
本発明の１つの実施形態では、ボイスコイル装置は、ボイスコイルボビンと、リード線を有し前記ボイスコイルボビンに巻かれたボイスコイルと、少なくとも２つに分割され、前記リード線の一部を覆うように前記ボイスコイルボビンに貼り付けられた巻装体と、を備え、前記リード線は、前記ボイスコイルボビンと前記巻装体との間で湾曲状に緩やかに曲げて折り返され、前記分割された前記巻装体の境界部分から外部へ導出されていることを特徴とする。
【００１０】
上記のボイスコイル装置は、例えば円筒形状をなすボイスコイルボビンと、リード線を有し当該ボイスコイルボビンに巻かれたボイスコイルと、少なくとも２つに分割され、ボイスコイルボビンに貼り付けられた複数の巻装体とを備えて構成される。ここで、巻装体としては、例えば一方の面に接着剤が塗布され、折り曲げ自在で且つ耐久性のある帯紙などの部材が好適である。各巻装体は、少なくとも２つに分割された状態、好ましくはボイスコイルボビンの軸方向に重ならない状態でリード線の一部を覆うようにボイスコイルボビンに貼り付けられる。よって、各巻装体の間にはリード線を導出することが可能な境界部分が形成されている。
【００１１】
かかる構成を有するボイスコイル装置をスピーカー装置に適用することにより、このスピーカー装置の駆動時、ボイスコイル装置はその軸方向に振動する。特に、このボイスコイル装置では、リード線の折り返し部が湾曲状に緩やかに曲げて折り返されているので、ボイスコイル装置の駆動時に、折り返し部にそれを断線させるような応力が作用することはなく、折り返し部分に応力が集中することがない。よって、リード線の断線防止を図ることができる。
【００１２】
上記のボイスコイル装置において、前記リード線の折り返し部分は、鋭角に対応する角度に設定されていることが好ましい。鋭角となるようにリード線を折り返すことにより、リード線が断線する可能性を低下させることができる。
【００１３】
上記のボイスコイル装置の他の一態様では、前記巻装体は第１の巻装体と第２の巻装体とを有し、前記リード線の一部は前記第１の巻装体により覆われており、前記リード線の折り返し部分は前記第２の巻装体により覆われている。この態様では、リード線の一部は第１の巻装体により覆われており、リード線の折り返し部分は第２の巻装体により覆われている。よって、ボイスコイルの駆動時にリード線の折り返し部分に応力が集中することが防止できる。
【００１４】
上記のボイスコイル装置の好適な例では、前記リード線は、前記ボイスコイルボビンと第２の巻装体との間で、前記第２の巻装体から前記第１の巻装体へ向かう方向へ折り返され、前記第１の巻装体の外周方向へ導出されている。これにより、リード線は第１及び第２巻装体の境界部分にて第２の巻装体の端部との摩擦を抑制することができ、リード線が断線する可能性を低下させることができる。
【００１５】
上記のボイスコイル装置の他の一態様では、前記巻装体は、前記リード線を、移動しないように前記ボイスコイルボビンに対して固定している。よって、ボイスコイル装置の移動により、リード線が移動して巻装体の端部と擦れ、摩擦によりリード線が断線することが防止できる。
【００１６】
本発明の他の実施形態は、上記のボイスコイル装置及び振動板を有する振動系と磁気回路とを備え、前記磁気回路は前記振動板の放音側に配置されてなる。即ち、振動板の放音側（前面側）に磁気回路を配置してなる、前面磁気回路方式のスピーカー装置に、上記のボイスコイル装置を適用することができる。前面磁気回路方式のスピーカー装置では、ボイスコイルのリード線が、ボイスコイル装置より放音側に位置する磁気回路方向へ導出されるため、リード線のボイスコイル装置からの導出部分が鋭角になりやすく、その部分で断線が生じやすい。この点、本発明のスピーカー装置では、ボイスコイルのリード線は緩やかに曲げられた状態で巻装体により固定されているので、断線を抑制することができる。
【００１７】
上記のスピーカー装置の一態様は、アンプ側の信号供給回路と電気的に接続された錦糸線を有し、前記錦糸線の一端は前記振動板の放音側に引き出されていると共に、前記巻装体の外部へ導出されたリード線は前記錦糸線の一端と電気的に接続されている。これにより、アンプ側の信号供給回路から錦糸線及びリード線の導出部等を介してボイスコイル側に信号及び電力を供給することができる。
【実施例】
【００１８】
以下、図面を参照して本発明の好適な実施例について説明する。
【００１９】
[スピーカー装置の構成]
本実施例は、スピーカー装置におけるボイスコイル装置の構造、特にボイスコイルのリード線の断線防止を図ることが可能な、リード線の折り返し構造を提供する。
【００２０】
図１に、本発明の実施例に係るスピーカー装置１００の概略構成を模式的に示す。スピーカー装置１００は車載用スピーカーとして好適に用いることができる。図１は、スピーカー装置１００の中心軸Ｌ１を通る平面で切断したときの断面図を示す。以下、本実施例に係るスピーカー装置１００の構成等について説明する。
【００２１】
スピーカー装置１００は、図１に示すように、主として、フレーム１、ボイスコイルボビン２、ダンパー３、ボイスコイル４、振動板５、エッジ６及び磁気回路ホルダー１０を有する振動系２０と、プレート７、マグネット８及びヨーク９を有する磁気回路系３０と、その他各種の部材として緩衝部材１２、複数の錦糸線１３、複数の端子部材１７、ボルト１４及び銘板１５を備えている。このスピーカー装置１００は、振動板５の前面側（放音側）に磁気回路系３０を有する前面磁気回路方式のスピーカー装置となっている。
【００２２】
まず、振動系２０の各構成要素について説明する。
【００２３】
フレーム１にはスピーカー装置１００の様々な構成要素が固定され、フレーム１はその構成要素を支持する役目を担う。フレーム１は、ポール部１ａと、そのポール部１ａの外周壁の下端部から外側に所定の傾斜を以って延在してなるフランジ部１ｂとを有している。
【００２４】
ポール部１ａ（突出部）は、後述する振動板５の放音側に突出してなる。ポール部１ａの上端部の略中央には、ボルト１４を挿入するための貫通穴１ａｃが形成されている。ポール部１ａの上面の略中央付近には、放音側に突出する環状突起部１ａｄが形成されている。環状突起部１ａｄは、後述する第１プレート７ａをポール部１ａ上の適正な位置に位置決めする機能を有している。一方、ポール部１ａの下端部には、円形状の凹部１ａｂが形成されている。この凹部１ａｂ内には、円形形状をなし、商号や製品情報などが印字された銘板１５が取り付けられている。
【００２５】
フランジ部１ｂは、略杯状の断面形状をなしている。また、フランジ部１ｂは、第１平坦部１ｂａ及び第２平坦部１ｂｂを有しており、それらの上面には平坦性が確保されている。第１平坦部１ｂａは、フランジ部１ｂの中央付近の位置に形成されている。第１平坦部１ｂａ上には、後述するダンパー３の外周縁部が取り付けられる。また、第１平坦部１ｂａ上には、複数の端子部材１７が取り付けられている。第２平坦部１ｂｂは、フランジ部１ｂの上端部に形成されている。第２平坦部１ｂｂ上には、後述するエッジ６の外周縁部が取り付けられる。
【００２６】
ボイスコイルボビン２は、略円筒状の形状をなしている。ボイスコイルボビン２の外周壁には、ボイスコイル４が巻かれている。ボイスコイル４は第１ボイスコイル４ａ及び第２ボイスコイル４ｂを有し、それらは後述するように所定の位置で繋がっている。ポール部１ａの上端部近傍に対応するボイスコイルボビン２の外周壁には第１ボイスコイル４ａが巻かれていると共に、ボイスコイルボビン２の外周壁の上端部近傍には第２ボイスコイル４ｂが巻かれている。このため、第１ボイスコイル４ａと第２ボイスコイル４ｂは、一定の間隔をおいてボイスコイルボビン２の外周壁に巻かれている。また、ボイスコイルボビン２に対する第１ボイスコイル４ａの巻き方向と、ボイスコイルボビン２に対する第２ボイスコイル４ｂの巻き方向は逆になっている。さらに、第１ボイスコイル４ａの有効線長と第２ボイスコイル４ｂの有効線長は同一になっている。なお、ボイスコイルボビン２の外周壁には、第１巻装体６０及び第２巻装体６１（図３を参照）が貼り付けられているが、この点については後述する。
【００２７】
ボイスコイル４は、１本のリード線４０をボイスコイルボビン２の外周壁に巻回してなる。リード線４０は、後述する本発明の折り返し方法によって振動板５の前方側（放音側）に折り返され、当該振動板５の前方側（放音側）に引き出された各錦糸線１３の一端側と電気的に接続されている。一方、各錦糸線１３の他端側は、フレーム１の第１平坦部１ｂａ上に位置する各端子部材１７の一端側に電気的に接続されている。また、それらの各端子部材１７の他端側は、対応するアンプ側の各入力配線に電気的に接続されている。このため、ボイスコイル４には、対応する各端子部材１７及び各錦糸線１３及びリード線４０等を介して、アンプ側の信号供給回路から電気信号が入力される。
【００２８】
ダンパー３は、略環状の形状をなし、同心円状に波型が形成された弾性部を有している。ダンパー３の外周縁部は、フレーム１の第１平坦部１ｂａ上に固着している一方、ダンパー３の内周縁部は、ボイスコイルボビン２の外周壁の下端部に固着している。
【００２９】
振動板５には、各種の用途に応じ、紙系、高分子系、金属系などの各種の材料を適用することができる。振動板５はコーン型の振動板であり、その断面が弓なりに屈曲した、いわゆるパラカーブド形状に形成されている。振動板５の内周縁部は、ダンパー３の内周縁部近傍の位置に且つボイスコイルボビン２の外周壁の下端部近傍の位置に取り付けられている。
【００３０】
エッジ６は、略半円状の断面形状をなしている。エッジ６の内周縁部は振動板５の外周部の下面側に固着していると共に、エッジ６の外周縁部の下面はフレーム１の第２平坦部１ｂｂ上に固着している。
【００３１】
磁気回路ホルダー１０は、非磁性体にて形成され、キノコ状の形状をなし、突起部１０ａ、円筒部１０ｂ及び間隙１０ｃを有している。
【００３２】
突起部１０ａは、略円柱状の形状をなし、後述する第２プレート７ｂ側に突出してなる。突起部１０ａの下面の略中央には、後述するマグネット８側に突出する環状突起部１０ａｂが形成されている。突起部１０ａ及び環状突起部１０ａｂの略中央には、ボルト１４を固定するためのねじ孔１０ａｃが形成されている。円筒部１０ｂは、略円筒状の形状をなしている。円筒部１０ｂの略中央部からその上端部付近に対応する、円筒部１０ｂの内径は、円筒部１０ｂの略中央部からその下端部付近に対応する、円筒部１０ｂの内径より小さくなっている。このため、円筒部１０ｂの内周壁の略中央部には、階段状の段差部１０ｂａ（段部）が形成されている。また、円筒部１０ｂの内周壁と突起部１０ａの外周壁の間には、間隙１０ｃが形成されている。この間隙１０ｃは、ボイスコイルボビン２が移動するための空間になっている。円筒部１０ｂの内周壁の下端部には、その一部を切り欠いてなる切り欠き部１０ｂｂが形成されている。このため、切り欠き部１０ｂｂとそれに対向する後述のヨーク９との間には空間が形成されている。
【００３３】
次に、磁気回路系３０の各構成要素について説明する。
【００３４】
プレート７は、略環状の形状をなす第１プレート７ａ及び第２プレート７ｂを有している。第１プレート７ａの内周壁は環状突起部１ａｄの外周壁に接触していると共に、第１プレート７ａの下面はポール部１ａの上面に固着している。これにより、第１プレート７ａは、ポール部１ａ上の適正位置に位置決めされた状態で、ポール部１ａ上に取り付けられている。マグネット８は、環状の形状をなし、第１プレート７ａ上に固着している。マグネット８の両面（上面及び下面）は、Ｓ極及びＮ極のいずれかに磁化されている。第２プレート７ｂは、第１プレート７ａに対応する位置に且つマグネット８上に固着している。第１プレート７ａ、マグネット８及び第２プレート７ｂは、ボイスコイルボビン２内に収容されている。
【００３５】
ヨーク９は、略環状の形状をなし、ボイスコイルボビン２の外径より大きな内径を有している。ヨーク９は、円筒部１０ｂの段差部１０ｂａ、及びその段差部１０ｂａより紙面下側に位置する円筒部１０ｂの内周壁に固定されている。こうして、ヨーク９は磁気回路ホルダー１０に支持されている。ヨーク９の外周壁の一部には、環状の形状をなす緩衝部材１２が取り付けられている。即ち、緩衝部材１２は、その上面の一部が円筒部１０ｂの下面１０ｂｃの一部に位置決めされた状態で、ヨーク９の外周壁の下端部に取り付けられている。緩衝部材１２は、大振幅の電気信号が入力されたときに、振動板５が磁気回路系３０と直接接触することを防止する役割を有する。なお、かかる位置に緩衝部材１２を取り付けた理由は、適正な電気信号等に基づいて振動板５が移動する時に磁気回路系３０や振動板５と緩衝部材１２とが接触（干渉）するのを防止するためである。緩衝部材１２としては、例えばウレタンやスポンジなどの緩衝機能を有する部材が好適である。
【００３６】
以上の構成を有する、ヨーク９が取り付けられた磁気回路ホルダー１０は、第２プレート７ｂ上に固定されている。具体的には、磁気回路ホルダー１０の環状突起部１０ａｂは、第２プレート７ｂの開口に挿入されていると共に、その環状突起部１０ａｂの外周壁は第２プレート７ｂの内周壁に接触している。そして、突起部１０ａの下面の一部は、第２プレート７ｂ上に接触している。また、フレーム１のポール部１ａ、第１プレート７ａ、マグネット８及び第２プレート７ｂの各開口内には矢印Ｙ１方向にボルト１４が挿入されていると共に、そのボルト１４の先端部は突起部１０ａのねじ孔１０ａｃに固定されている。こうして、ヨーク９が取り付けられてなる磁気回路ホルダー１０は、第２プレート７ｂ上に固定されている。
【００３７】
また、かかる状態において、ヨーク９の内周壁の上端部近傍は、第２プレート７ｂ及びマグネット８の外周壁と一定の間隙を隔てて対向していると共に、それらの間には空隙（第２磁気ギャップ１６ｂ）が形成されている。一方、ヨーク９の内周壁の下端部近傍は、第１プレート７ａ及びマグネット８の外周壁と一定の間隔を隔てて対向していると共に、それらの間には空隙（第１磁気ギャップ１６ａ）が形成されている。即ち、この磁気回路系３０は、第１磁気ギャップ１６ａ及び第２磁気ギャップ１６ｂ、並びに、その各々に対応する第１ボイスコイル４ａ及び第２ボイスコイル４ｂを有している（２磁気ギャップ２ボイスコイル方式）。そして、この磁気回路系３０では、第２磁気ギャップ１６ｂ及び第１磁気ギャップ１６ａにマグネット８の磁束を集中させている。より具体的には、この磁気回路系３０では、マグネット８→第１プレート７ａ→第１磁気ギャップ１６ａ→ヨーク９→第２磁気ギャップ１６ｂ→第２プレート７ｂ→マグネット８という磁路（磁界）が形成されている（ここで、第１プレート７ａ及び第１磁気ギャップ１６ａと、第２プレート７ｂ及び第２磁気ギャップ１６ｂは等価であり、それぞれ順番を入れ替えて読み替えてもよい）。さらに、この磁気回路系３０では、第１プレート７ａ、マグネット８及びヨーク９の付近に形成される磁界の方向は、第２プレート７ｂ、マグネット８、及びヨーク９の付近に形成される磁界の方向と逆の関係になっているが、この点については後述する。
【００３８】
以上に述べたスピーカー装置１００において、アンプ側から出力された電気信号は、各端子部材１７、各錦糸線１３及びリード線４０を介して、第１ボイスコイル４ａ及び第２ボイスコイル４ｂへ出力される。これにより、第１磁気ギャップ１６ａ内で第１ボイスコイル４ａに、第２磁気ギャップ１６ｂ内で第２ボイスコイル４ｂに夫々同一且つ同方向の駆動力が発生し、振動板５をスピーカー装置１００の軸方向に振動させる。こうして、スピーカー装置１００は、矢印Ｙ１方向に音波を放射する。
【００３９】
（磁気回路系の構成）
次に、図２を参照して、磁気回路系３０の構成等について説明する。なお、上記において磁気回路系３０の構成は一通り説明したので、以下では磁気回路系３０の主要な構成及びその作用等について説明する。図２は、図１における破線領域Ｅ１の部分を拡大した断面図を示す。
【００４０】
本発明では、上記したように、２磁気ギャップ２ボイスコイル方式の磁気回路系３０を採用している。
【００４１】
即ち、第１プレート７ａの外周壁とヨーク９の内周壁の下端部近傍との間に第１磁気ギャップ１６ａが形成されている。そして、ポール部１ａの上端部近傍に対応する、ボイスコイルボビン２の外周壁には第１ボイスコイル４ａが巻かれており、その第１ボイスコイル４ａは第１磁気ギャップ１６ａに対応する位置に配置されている。ここで、第１ボイスコイル４ａは、図１の矢印Ｙ１方向と逆方向からスピーカー装置１００を観察したときに、時計回りに巻かれている。また、第１プレート７ａ、マグネット８及びヨーク９の付近に形成される磁界（第１磁気ギャップ１６ａ付近の磁界）は矢印Ｙ１０の方向に生じている。
【００４２】
一方、第２プレート７ｂの外周壁とヨーク９の内周壁の上端部近傍との間には、第２磁気ギャップ１６ｂが形成されている。そして、ボイスコイルボビン２の外周壁の上端部近傍には第２ボイスコイル４ｂが巻かれており、その第２ボイスコイル４ｂは第２磁気ギャップ１６ｂに対応する位置に配置されている。ここで、第２ボイスコイル４ｂは、図１の矢印Ｙ１方向と逆方向からスピーカー装置１００を観察したときに、反時計回りに巻かれており、その巻き方向は第１ボイスコイル４ａの巻き方向と逆になっている。また、第２プレート７ｂ、マグネット８、及びヨーク９の付近に形成される磁界（第２磁気ギャップ１６ｂ付近の磁界）は、矢印Ｙ１１の方向（矢印Ｙ１０方向と逆方向）に生じている。なお、本発明では、第１磁気ギャップ１６ａ付近に生じる磁界の方向が矢印Ｙ１１方向に、第２磁気ギャップ１６ｂ付近に生じる磁界の方向が矢印Ｙ１０方向になるように夫々設定しても構わない。さらに、第２ボイスコイル４ｂの有効線長は、第１ボイスコイル４ａの有効線長と同一に設定されている。以上の構成により、第１ボイスコイル４ａと第２ボイスコイル４ｂとを夫々同一の力で且つ同一の方向に移動させることができる。
【００４３】
即ち、かかるスピーカー装置１００において、アンプ側の信号供給回路から第１ボイスコイル４ａ及び第２ボイスコイル４ｂに対して電気信号が供給されると、ボイスコイルボビン２は矢印Ｙ２及びＹ３方向に振動する。なお、このとき、ボイスコイルボビン２の上端部側は、磁気回路ホルダー１０の間隙１０ｃ内を矢印Ｙ２及びＹ３方向に移動する。
【００４４】
ここで、何らかの要因により、ボイスコイル４に過大入力信号が入力された場合、ボイスコイルボビン２は矢印Ｙ２及びＹ３方向に大振幅で振動することになる。即ち、ボイスコイル４に過大入力信号が入力され、ボイスコイルボビン２が矢印Ｙ３方向に大振幅で移動したと仮定した場合、第２ボイスコイル４ｂの下端部付近は第１磁気ギャップ１６ａ内に位置することになる。これにより、第２ボイスコイル４ｂは、第１磁気ギャップ１６ａ内の磁界の影響を受けるため、第２ボイスコイル４ｂには、フレミングの左手の法則により矢印Ｙ２方向の力（制動力）が作用する。つまり、このとき、第２ボイスコイル４ｂは矢印Ｙ２方向に移動しようとするので、ボイスコイルボビン２の矢印Ｙ３方向への大振幅での移動が規制される。これにより、ボイスコイルボビン２が矢印Ｙ３方向に大振幅で移動して、ボイスコイルボビン２の下端部と、それに対向するフレーム１とが衝突するのを防止できる（図１も参照）。
【００４５】
一方、ボイスコイル４に過大入力信号が入力され、ボイスコイルボビン２が矢印Ｙ２方向に大振幅で移動したと仮定した場合、第１ボイスコイル４ａの上端部付近は第２磁気ギャップ１６ｂ内に位置することになる。これにより、第１ボイスコイル４ａは第２磁気ギャップ１６ｂ内の磁界の影響を受け、第１ボイスコイル４ａには、フレミングの左手の法則により矢印Ｙ３方向の力（制動力）が作用する。つまり、このとき、第１ボイスコイル４ａは矢印Ｙ３方向に移動しようとするので、ボイスコイルボビン２の矢印Ｙ２方向への大振幅での移動が規制される。これにより、ボイスコイルボビン２が矢印Ｙ２方向に大振幅で移動して、ボイスコイルボビン２の上端部と、それに対向する磁気回路ホルダー１０とが衝突するのを防止することができる（図１も参照）。
【００４６】
以上のように、本実施例に係るスピーカー装置１００は、２磁気ギャップ２ボイスコイル方式の磁気回路系３０を採用しているので、アンプ側の信号供給回路からボイスコイル４側へ過大入力信号が入力されたような場合でも、ボイスコイルボビン２と、磁気回路系３０、フレーム１及び磁気回路ホルダー１０とが衝突するのを抑制することができる。
【００４７】
また、スピーカー装置１００は、いわゆるパラカーブド形状を有する振動板５を適用している。即ち、振動板５の断面形状は、図２に示すように、放音側に凸となるように湾曲している。このため、ボイスコイル４側に過大入力信号が入力されたような場合には、振動板５が矢印Ｙ２方向に大振幅で移動することになるので、その振動板５の上面の一部と、それに対向するヨーク９及び磁気回路ホルダー１０とが衝突し易くなる。
【００４８】
この点、本実施例に係るスピーカー装置１００では、ヨーク９の外周壁の下端部近傍に緩衝機能を有する緩衝部材１２を設けている。したがって、振動板５が矢印Ｙ２方向に大振幅で移動したような場合には、緩衝部材１２の下端部と、それに対向する振動板５の上面の一部とが接触することになる。これにより、振動板５の上面の一部と、それに対向する、ヨーク９、及び磁気回路ホルダー１０の円筒部１０ｂとが直接的に衝突するのを回避できる。このため、振動板５等が破損するのを防止できる。
【００４９】
なお、本実施例に係るスピーカー装置１００は、上記のようにパラカーブド形状を有する振動板５を適用しているので、高域限界周波数（Ｆｈ）付近に不要な高域成分（ピーク）が生じることなくフラットな音圧特性を得ることができる。
【００５０】
（ボイスコイル装置の構造）
次に、図３を参照して、本発明の特徴をなすボイスコイル装置の構造、具体的にはボイスコイル４のリード線４０の折り返し構造について説明する。図３（ａ）は、図１における、ボイスコイル装置の構造を示す斜視図であり、本発明のボイスコイル４のリード線４０の折り返し構造を示す斜視図である。図３（ｂ）は、図３（ａ）の破線領域Ｅ１５のリード線４０付近、即ち折り返し部４０ｔ付近を拡大して示す。
【００５１】
図３（ａ）に示すように、ボイスコイル装置は、ボイスコイルボビン２と、リード線４０をボイスコイルボビン２の外周壁に巻いて構成したボイスコイル４と、そのボイスコイル４のリード線４０の一部を覆うようにボイスコイルボビン２の外周壁に貼り付けられた第１巻装体６０及び第２巻装体６１とを備えている。ここで、第１巻装体６０及び第２巻装体６１は、帯状の形状をなし、一方の面に接着剤が塗布され、折り曲げ自在で且つ耐久性を有する帯紙、テープなどの部材が好適である。
【００５２】
具体的には、ボイスコイル４は第１ボイスコイル４ａ及び第２ボイスコイル４ｂを有しており、それらはボイスコイルボビン２の軸方向に且つ一定の間隔をおいてボイスコイルボビン２の外周壁に巻かれている。即ち、第１ボイスコイル４ａはボイスコイルボビン２の外周壁の上端部に巻かれていると共に、第２ボイスコイル４ｂはボイスコイルボビン２の外周壁の中央部付近に巻かれている。また、第１ボイスコイル４ａと第２ボイスコイル４ｂは、両者の間に位置する連結部４１で繋がっている。即ち、第１ボイスコイル４ａと第２ボイスコイル４ｂは電気的に接続されている。
【００５３】
リード線４０は、第１ボイスコイル４ａの下端から引き出された引き出し部４０ｓと、その一端から延び出てなり、湾曲状に緩やかに曲げられた折り返し角度θ１に折り返された折り返し部４０ｔと、その一端から延び出てなり、後述する所定の位置から外部へ導出された導出部４０ｕとを備えている。
【００５４】
引き出し部４０ｓは、第１ボイスコイル４ａの下端から延在し、ボイスコイルボビン２の外周壁に沿って、その下端部近傍の位置まで延び出てなる。折り返し部４０ｔは、引き出し部４０ｓの一端から延在し、破線領域Ｅ１５に示すように、ボイスコイルボビン２の外周壁の下端部付近において湾曲状に緩やかに曲げられた状態で折り返されている。ここで、その折り返し角度θ１は、図３（ｂ）に示すように湾曲状に緩やかに曲げた角度に設定されているのが好ましく、鋭角とするのがより好ましい。導出部４０ｕは、折り返し部４０ｔの一端から延び出てなり、後述する所定の位置から外部へと導出されている。
【００５５】
第１巻装体６０及び第２巻装体６１は、ボイスコイルボビン２をその軸方向に２分割した状態で、ボイスコイル４のリード線４０の一部を覆うようにボイスコイルボビン２の外周壁に貼り付けられている。ここで、第１巻装体６０と第２巻装体６１は重なっていない。このため、第１巻装体６０と第２巻装体６１の間にはリード線４０を導出することが可能な境界部分６２が形成されている。また、ボイスコイルボビン２の軸方向に対応する第１巻装体６０の長さは、それに対応する第２巻装体６１の長さより大きくなっている。このように本例のボイスコイル装置では、第１巻装体６０及び第２巻装体６１をボイスコイルボビン２の外周壁に貼付けているので、ボイスコイルボビン２の剛性が高くなっている。
【００５６】
第１巻装体６０は、引き出し部４０ｓを覆うように、ボイスコイルボビン２の外周壁に貼り付けられている。このため、引き出し部４０ｓは、その第１巻装体６０によってボイスコイルボビン２の外周壁に固定されている。
【００５７】
第２巻装体６１は、折り返し部４０ｔを覆うように、ボイスコイルボビン２の外周壁に貼り付けられている。このため、折り返し部４０ｔは、その第２巻装体６１によってボイスコイルボビン２の外周壁に固定されている。ここで、導出部４０ｕは、所定の位置、具体的には、第１巻装体６０と第２巻装体６１の境界部分６２から外部へと導出されている（リード線４０の実線部分に相当）。
【００５８】
次に、図１、図３及び図４を参照して、比較例と比較した本発明の作用効果について説明する。図４は、図３（ａ）に対応する斜視図であり、比較例に係るボイスコイル４装置の構造、即ちリード線４０の折り返し構造を示す斜視図である。なお、図４において、本実施例と同一の要素については同一の符号を付し、その説明は省略する。
【００５９】
まず、比較例に係るボイスコイル４のリード線４０の折り返し構造について説明する。
【００６０】
図４に示すように、第１ボイルコイル４ａ及び第２ボイスコイル４ｂは、本実施例と同様の構成によりボイスコイルボビン２の外周壁に巻かれている。リード線４０は、第１ボイスコイル４ａの下端から引き出された引き出し部４０ｓと、引き出し部４０ｓの一端から延び出てなり、その一端にて、鋭角に対応する折り返し角度θ２を以って折り返された折り返し部４０ｖ（破線領域Ｅ１６に相当する部分）と、折り返し部４０ｖの一端から延び出てなり、外部へ導出された導出部４０ｕとを備えている。
【００６１】
第１巻装体６０は、引き出し部４０ｓ及び折り返し部４０ｖの一部を覆うように、ボイスコイルボビン２の外周壁に貼り付けられている。このため、それらの要素は、各々その第１巻装体６０によってボイスコイルボビン２の外周壁に固定されている。なお、比較例は本発明と異なり、ボイスコイルボビン２の外周壁の下端部に第２巻装体６１は貼り付けられていない。
【００６２】
このようなボイスコイル装置を有する、比較例に係るスピーカー装置（図示略）では、その駆動時、ボイスコイル装置は、図４に示すように、その軸方向、即ち矢印Ｙ２０方向に振動する。ここで、比較例では、折り返し部４０ｖが第１巻装体６０の下端部にて鋭角に対応する折り返し角度θ２を以って折り返されているため、ボイスコイル装置の駆動時に、折り返し部４０ｖに引っ張り応力及び曲げ応力が繰り返し作用して、その折り返し部４０ｖで断線が生じてしまう虞がある。
【００６３】
一方、本発明に係るボイスコイル装置を有するスピーカー装置１００では、その駆動時、ボイスコイル装置は、図３に示すように、比較例と同様に矢印Ｙ２０方向に振動するが、上記した比較例のような不具合は生じない。
【００６４】
即ち、本実施例では、特に、リード線４０の折り返し部４０ｔを湾曲状に緩やかに曲げた折り返し角度θ１を以って折り返しており、その折り返し角度θ１が固定された状態で第２巻装体６１により固定されている。このため、矢印Ｙ２０方向へのボイスコイル装置の駆動時に、折り返し部４０ｔにそれを断線させるような応力は作用しない。即ち、折り返し部４０ｔには応力が集中しない。よって、ボイスコイル４のリード線４０の断線防止を図ることができる。
【００６５】
また、引き出し部４０ｓは、第１巻装体６０によってボイスコイルボビン２の外周壁に固定されていると共に、折り返し部４０ｔは、第２巻装体６１によってボイスコイルボビン２の外周壁に固定されている。これらにより、このボイスコイル装置の駆動時に、ボイスコイルボビン２に対する、引き出し部４０ｓ及び折り返し部４０ｔの移動が阻止される。よって、その駆動時に、それらの要素にそれらを断線させるような応力が作用するのを抑制することができ、それらの要素の断線防止を図ることができる。
【００６６】
また、導出部４０ｕは、折り返し部４０ｔの一端から延び出てなり、第１巻装体６０と第２巻装体６１の境界部分６２から外部へと導出されているので、導出部４０ｕと錦糸線１３と電気的に容易に接続することができる。
【００６７】
また、図１に示すように、導出部４０ｕは、湾曲した状態で振動板５の放音側に引き出された錦糸線１３の一端と電気的に接続されている。これにより、スピーカー装置１００の駆動時に、ボイスコイル装置の移動に伴って、湾曲状に形成された導出部４０ｕが自由に変形するので、当該導出部４０ｕにそれを断線させるような応力が作用することがない。よって、導出部４０ｕの断線防止を図ることができる。
【００６８】
[変形例]
本実施例では、ボイスコイル装置に２つの巻装体、即ち第１巻装体６０及び第２巻装体６１を設けるようにしたが、これに限らず、本発明において、第１巻装体６０及び第２巻装体６１は各々複数の巻装体にて構成されていても構わない。
【００６９】
上記の実施例では、振動板の放音側（前面側）に磁気回路系３０を配置してなる、前面磁気回路方式のスピーカー装置１００に本発明のボイスコイル装置を適用した。これに限らず、本発明では、振動板の背面側（放音側と逆側）に磁気回路系３０を配置してなる、背面磁気回路方式のスピーカー装置１００に本発明のボイスコイル装置を適用しても構わない。
【図面の簡単な説明】
【００７０】
【図１】本発明の実施例に係るスピーカー装置の断面図。
【図２】本実施例に係る磁気回路系付近を拡大した部分断面図。
【図３】本実施例に係るボイスコイルのリード線の折り返し構造を示す斜視図。
【図４】比較例に係るボイスコイルのリード線の折り返し構造を示す斜視図。
【符号の説明】
【００７１】
２  ボイスコイルボビン
４  ボイスコイル
４ａ  第１ボイスコイル
４ｂ  第２ボイスコイル
４０  リード線
４０ａ  プラス側のリード線
４０ｂ  マイナス側のリード線
４０ｓ  引き出し部
４０ｔ  折り返し部
４０ｕ  導出部
４１  連結部
６０  第１巻装体
６１  第２巻装体
６２  境界部分
２０  振動系
３０  磁気回路系
１００  スピーカー装置
【図１】
2006148667.tif 000003
【図２】
2006148667.tif 000004
【図３】
2006148667.tif 000005
【図４】
2006148667.tif 000006